(57)【要約】【課題】この発明は、空気清浄シートを、羽根の送風面を覆う正規装着位置に正確に装着することができるとともに、該空気清浄シートの羽根に対する貼り替えが簡易に行える空気清浄装置、及び空気清浄用の羽根体の提供を目的とする。【解決手段】空気清浄シート１１を羽根体８の羽根９に装着する際、空気清浄シート１１に設けた孔部１１ａを、羽根９のシート装着部９ａに設けた突起９ｂに係止し、空気清浄シート１１の外周縁部を、シート装着部９ａに形成した壁部９ｃの内周縁部に当接して、空気清浄シート１１を羽根９のシート装着部９ａを覆う正規装着位置に規制する。軟粘着剤１１ｂの粘着力によって、空気清浄シート１１を羽根９のシート装着部９ａに対して剥離可能に貼着する。これにより、空気清浄シート１１を羽根９の正規装着位置に対して正確に装着することができる。また、空気清浄シート１１の羽根９に対する貼り替えが簡易に行える。【選択図】図３
2015019988.tif 000002
【特許請求の範囲】
【請求項１】
複数の羽根を有する羽根体を回転させて送風する送風手段と、該羽根の送風面に装着した空気を清浄処理する空気清浄シートと、を備え、
前記羽根の送風面に、
前記空気清浄シートを前記羽根の送風面を覆う正規装着位置に規制するシート規制手段を設け、
前記羽根の送風面と前記空気清浄シートの装着面とのうち少なくとも一方の面に、前記空気清浄シートを前記羽根の送風面に対して剥離可能に貼着するシート貼着手段を設けた
空気清浄装置。
【請求項２】
空気を送風する複数の羽根と、該羽根の送風面に装着した空気を清浄処理する空気清浄シートと、を備え、
前記羽根の送風面に、
前記空気清浄シートを前記羽根の送風面を覆う正規装着位置に規制するシート規制手段を設け、
前記羽根の送風面と前記空気清浄シートの装着面とのうち少なくとも一方の面に、前記空気清浄シートを前記羽根の送風面に対して剥離可能に貼着するシート貼着手段を設けた
空気清浄用の羽根体。
【請求項３】
前記シート規制手段を、
前記羽根の送風面と前記空気清浄シートの装着面とのうち一方の面に設けた複数の係止部と、他方の面に設けた前記係止部を係止する複数の被係止部とで構成した
請求項１に記載の空気清浄装置、あるいは、請求項２に記載の空気清浄用の羽根体。
【請求項４】
前記シート規制手段を、
前記羽根の送風面に設けた前記空気清浄シートの装着が許容される凹状のシート装着部で構成し、
前記シート装着部を、
前記空気清浄シートと対応する大きさ、及び形状に形成するとともに、該空気清浄シートの厚みと対応する深さに前記羽根の送風面を凹状に窪ませて形成した
請求項１又は３に記載の空気清浄装置、あるいは、請求項２又は３に記載の空気清浄用の羽根体。
【請求項５】
請求項４に記載の前記シート装着部の内周縁部と、該内周縁部に当接される前記空気清浄シートの外周縁部とのうち一方の縁部に凹部を設け、他方の縁部に前記凹部を係止する凸部を設けた
請求項４に記載の空気清浄装置、あるいは、請求項４に記載の空気清浄用の羽根体。
【請求項６】
前記シート貼着手段を、
前記羽根と前記空気清浄シートとを剥離可能に貼着する軟粘着剤で構成した
請求項１，３〜５のいずれか一つに記載の空気清浄装置、あるいは、請求項２〜５のいずれか一つに記載の空気清浄用の羽根体。
【請求項７】
前記空気清浄シートに、受光により空気を清浄処理する光触媒を付設した
請求項１，３〜６のいずれか一つに記載の空気清浄装置、あるいは、請求項２〜６のいずれか一つに記載の空気清浄用の羽根体。
【請求項８】
前記空気清浄シートを不織布で構成し、該不織布に前記光触媒の粒子を包含させた
請求項７に記載の空気清浄装置、あるいは、請求項７に記載の空気清浄用の羽根体。
【請求項９】
前記空気清浄シートを複数枚の不織布を積層して構成し、該不織布の積層間に前記光触媒の粒子を包含させた
請求項８に記載の空気清浄装置、あるいは、請求項８に記載の空気清浄用の羽根体。
【請求項１０】
紫外線を照射して前記光触媒を励起する紫外線発生手段を備えた
請求項１，３〜９のいずれか一つに記載の空気清浄装置。
【発明の詳細な説明】
【技術分野】
【０００１】
この発明は、例えば、脱臭、及び消臭、あるいは、煙草の煙や臭い、ペット臭、料理臭、トイレ臭、体臭、接着剤や内装品の臭い、排ガス、花粉、カビ菌、雑菌、環境ホルモン等の除去、及び空気を清浄処理する際に用いられる空気清浄装置、及び空気清浄用の羽根体に関する。
【背景技術】
【０００２】
従来、上述の空気を清浄する場合、例えば、活性炭、静電気を利用した清浄装置にて清浄することが行われているが、空気自体の対流を利用して、清浄装置に供給される空気を清浄処理するため、清浄装置による時間当たりの清浄処理量が少なく、室内などの広い空間の空気を清浄するのに時間が掛かる。
【０００３】
そこで、近年では、上述の空気を清浄処理する機能を備えた装置として、例えば、脱臭フィルターを装着したプロペラファン、扇風機が提案されている（特許文献１参照）。  
特許文献１のプロペラファン、扇風機は、送風機能を有する羽根体の羽根に開口部を設け、該開口部に活性炭などからなる脱臭フィルターを装着して、羽根体の回転によって送風される空気を、羽根に装着した脱臭フィルターに接触させて脱臭、及び清浄化を図ることが開示されている。
【０００４】
しかし、特許文献１の羽根体は、羽根の開口部を、脱臭フィルターの外形形状と略同一形状に形成しているので、脱臭フィルターを羽根の開口部に装着する際、脱臭フィルターの装着位置にズレが生じやすく、脱臭フィルターを羽根の開口部に対して一致する状態に装着することが難しい。  
このため、脱臭フィルターの一側縁部が羽根の開口部よりも外側に食み出した状態や、脱臭フィルターと開口部との他側縁部に隙間が生じた状態となるので、脱臭フィルターを羽根の開口部が封止される状態に装着することが困難である。
【先行技術文献】
【特許文献】
【０００５】
【特許文献１】特開２０００−３１４３９３号公報
【発明の概要】
【発明が解決しようとする課題】
【０００６】
この発明は、空気清浄シートを、羽根の送風面を覆う正規装着位置に正確に装着することができるとともに、該空気清浄シートの羽根に対する貼り替えが簡易に行える空気清浄装置、及び空気清浄用の羽根体を提供することを目的とする。
【課題を解決するための手段】
【０００７】
この発明は、複数の羽根を有する羽根体を回転させて送風する送風手段と、該羽根の送風面に装着した空気を清浄処理する空気清浄シートと、を備えた空気清浄装置、あるいは、空気を送風する複数の羽根と、該羽根の送風面に装着した空気を清浄処理する空気清浄シートと、を備えた空気清浄用の羽根体であって、前記羽根の送風面に、前記空気清浄シートを前記羽根の送風面を覆う正規装着位置に規制するシート規制手段を設け、前記羽根の送風面と前記空気清浄シートの装着面とのうち少なくとも一方の面に、前記空気清浄シートを前記羽根の送風面に対して剥離可能に貼着するシート貼着手段を設けた空気清浄装置、又は空気清浄用の羽根体であることを特徴とする。
【０００８】
ここで、上記送風手段は、例えば、大型の送風機、業務用ファン、業務用扇風機、家庭用扇風機、天井扇（シーリングファン）等の羽根体を回転して送風する送風装置で構成することができる。  
上記シート規制手段は、例えば、突起と孔部、凹部と凸部等で構成することができる。また、上記シート貼着手段は、例えば、剥離可能な軟粘着剤、あるいは、軟粘着剤を塗布した両面粘着テープ等で構成することができる。
【０００９】
この発明によれば、空気清浄シートを、羽根の送風面を覆う正規装着位置に対して正確に装着することができるとともに、該空気清浄シートの羽根に対する貼り替えが簡易に行える。
【００１０】
詳述すると、空気清浄シートを羽根体の羽根に装着する際、空気清浄シートを、シート規制手段により羽根の送風面を覆う正規装着位置に規制するとともに、該空気清浄シートを、シート貼着手段により羽根の送風面に対して剥離可能に貼着するので、空気清浄シートの装着位置にズレが生じることを防止できる。  
これにより、空気清浄シートを、羽根の送風面を覆う正規装着位置に対して正確に装着することができる。
【００１１】
上述のようにして、空気清浄シートを、羽根体における複数の羽根にそれぞれ装着した後、送風手段により羽根体を回転させ、羽根体の回転により空気を送風しながら、その送風される多くの空気を、羽根体における複数の羽根に装着した空気清浄シートに接触させて、例えば、脱臭、及び消臭、あるいは、有害物質の分解、及び除去等の清浄処理を行うとともに、清浄処理された綺麗な空気を、前方、あるいは所望する方向に向けて送風するので、周囲の空気を効率よく清浄処理することができる。
【００１２】
空気清浄時において、羽根の送風面に付与される風圧によって、空気清浄シートが羽根の送風面に対して押し付けられるため、空気清浄シートが羽根の送風面から剥離することを積極的に防止することができる。
【００１３】
しかも、空気清浄シートは、シート貼着手段により羽根の送風面に対して剥離可能に貼着しているので、空気清浄力が低下、あるいは交換時期が到来した空気清浄シートを、所定の空気清浄力を有する空気清浄シートに貼り替える作業が簡易に行える。
【００１４】
例えば、一部の羽根に装着した空気清浄シートの空気清浄力が低下しても、その空気清浄力が低下した空気清浄シートのみを、所定の空気清浄力を有する空気清浄シートに貼り替えるだけで、全空気清浄シートによる空気清浄力が相乗して得られる。
【００１５】
この結果、複数の羽根に装着した空気清浄シートにより、多くの空気を効率よく清浄処理することができる。  
さらに、空気清浄シートを羽根に装着する際、例えば、止めピンや止めねじ等の止め部材を用いることなく、空気清浄シートを羽根に貼着したり、貼り替えたりする際の作業性が向上する。
【００１６】
さらにまた、羽根に装着した空気清浄シートは、例えば、１シーズン当たり１枚を目安として使用するので、１シーズンが経過した際、空気清浄シートの全てを、未使用の空気清浄シートに貼り替えれば、次期シーズンも空気を清浄する空気清浄効果が継続して得られる。
【００１７】
この発明の態様として、前記シート規制手段を、前記羽根の送風面と前記空気清浄シートの装着面とのうち一方の面に設けた複数の係止部と、他方の面に設けた前記係止部を係止する複数の被係止部とで構成することができる。
【００１８】
ここで、上記係止部、及び被係止部は、例えば、突起と孔部等で構成することができる。  
この発明によれば、空気清浄シートを、羽根の正規装着位置に対してより正確に規制することができる。  
詳述すると、空気清浄シートを羽根体の羽根に装着する際、空気清浄シートに設けた複数の係止部を、羽根の送風面に設けた複数の被係止部にそれぞれ係止して、空気清浄シートを、羽根の送風面を覆う正規装着位置に規制する。
【００１９】
これにより、空気清浄シートを、羽根の正規装着位置に対してより正確に装着することができるとともに、該空気清浄シートを、羽根の正規装着位置に装着した状態により確実に保つことができる。
【００２０】
しかも、羽根体の回転時に付与される風圧を、羽根に装着した空気清浄シートにて受けることになるが、上述の係止部、及び被係止部の係止により、空気清浄シートが羽根の正規装着位置に規制されるため、空気清浄シートの装着位置が変位することをより確実に防止できる。
【００２１】
また、この発明の態様として、前記シート規制手段を、前記羽根の送風面に設けた前記空気清浄シートの装着が許容される凹状のシート装着部で構成し、前記シート装着部を、前記空気清浄シートと対応する大きさ、及び形状に形成するとともに、該空気清浄シートの厚みと対応する深さに前記羽根の送風面を凹状に窪ませて形成することができる。
【００２２】
この発明によれば、空気清浄シートを、羽根のシート装着部を覆う正規装着位置に対してより正確に規制することができる。  
詳述すると、例えば、空気清浄シートを、羽根体における羽根の送風面上に装着した場合、空気清浄シートの厚み分だけ、該空気清浄シートが羽根の送風面上に突出することになる。
【００２３】
したがって、羽根体を回転させた際、羽根の送風面上に突出する空気清浄シートによって、羽根により送風される気流に乱れが生じることになる。このため、羽根体の羽根により送風される空気と、該羽根に装着した空気清浄シートとの接触が少なく、空気を清浄処理する効率が悪くなる。また、気流が乱れることで、送風時の騒音が大きくなる。
【００２４】
これに対して、本実施形態の羽根体は、空気清浄シートを、羽根の送風面を凹状に窪ませて形成した凹状のシート装着部に装着する際、空気清浄シートの外周縁部を、シート装着部の内周縁部（実施形態における壁部の内周縁部）に当接して、該空気清浄シートを羽根の送風面を覆う正規装着位置に規制するとともに、シート装着部の送風面側に露出する空気清浄シートの清浄面と、該羽根の送風面とが略面一となる状態に装着する。
【００２５】
これにより、羽根のシート装着部に装着した空気清浄シートによって、該羽根により送風される気流が乱されることを防止でき、羽根により送風される空気と、該羽根に装着した空気清浄シートとの接触をより多くすることができる。
【００２６】
この結果、空気清浄シートを、羽根のシート装着部を覆う正規装着位置に対してより正確に装着することができる。  
しかも、複数の羽根のシート装着部に装着した空気清浄シートとの接触により、より多くの空気を効率よく清浄処理することができるとともに、送風時の騒音をより低く抑えることができる。
【００２７】
また、この発明の態様として、前記シート装着部の内周縁部と、該内周縁部に当接される前記空気清浄シートの外周縁部とのうち一方の縁部に凹部を設け、他方の縁部に前記凹部を係止する凸部を設けることができる。  
この発明によれば、空気清浄シートを、羽根の正規装着位置に対してより高い精度で規制することができる。
【００２８】
詳述すると、空気清浄シートを羽根体の羽根に装着する際、空気清浄シートの外周縁部をシート装着部の内周縁部に当接するとともに、空気清浄シートの外周縁部とシート装着部の内周縁部とのうち一方の縁部に形成した凹部を、他方の縁部に形成した凸部に係止して、空気清浄シートを、羽根のシート装着部を覆う正規装着位置に規制する。  
この結果、空気清浄シートを、羽根の正規装着位置に対してより高い精度で正確に装着することができ、装着精度、及び作業性の向上を図ることができる。
【００２９】
また、この発明の態様として、前記シート貼着手段を、前記羽根と前記空気清浄シートとを剥離可能に貼着する軟粘着剤で構成することができる。  
この発明によれば、空気清浄シートを貼り替える際、羽根に貼着跡や粘着剤が残ることを防止できる。
【００３０】
詳述すると、例えば、脱臭フィルターの外周縁部に貼付した両面接着テープの粘着力によって、該脱臭フィルターを羽根の開口部に対して裏面側から貼着した場合、羽根体の回転時に付与される風圧を、羽根の開口部に貼着した脱臭フィルターが受けることになるため、脱臭フィルターが剥離しないように、粘着力が強い両面接着テープを用いて貼着しなければならない。
【００３１】
ところが、両面接着テープの粘着力が強いと、脱臭フィルターを羽根から剥離する際の剥離抵抗が大きくなるため、脱臭フィルターを貼り替える作業に手間が掛かる。さらにまた、脱臭フィルターを羽根から剥離する際、脱臭フィルターを剥離した部分に貼着跡や粘着剤が残りやすく、貼着跡や粘着剤が残らないように脱臭フィルターを貼り替えることが困難である。
【００３２】
これに対して、本実施形態の羽根体は、軟粘着剤の粘着力によって、空気清浄シートを羽根の送風面に対して剥離可能に貼着するので、交換を必要する空気清浄シートを貼り替える際、羽根に貼着跡や粘着剤が残ることを防止できる。
【００３３】
しかも、空気清浄シートと羽根との対向する装着面を軟粘着剤の粘着力によって互いに貼着するので、空気清浄シートを、羽根の送風面に対して貼着した貼着状態を保持するのに必要な貼着力が得られる。
【００３４】
これにより、空気清浄時において、空気清浄シートが羽根の送風面から剥離することをより積極的に防止することができる。  
この結果、軟粘着剤の特性により、羽根に貼着跡や粘着剤を残すことなく、空気清浄シートを綺麗に貼り替えることができる。
【００３５】
また、この発明の態様として、前記空気清浄シートに、受光により空気を清浄処理する光触媒を付設して構成することができる。  
詳述すると、空気清浄シートに付設した光触媒の受光（例えば、太陽光）により空気を清浄する光触媒反応を利用して、例えば、脱臭、殺菌、除菌、環境ホルモンなどの有害物質等を分解、及び除去することができ、機能性に富んだ空気清浄を実現できる。
【００３６】
しかも、光触媒が受光しているあいだ、光触媒反応が続くので、有害物質を分解、及び除去する効果が継続して得られる。  
上記構成によれば、既存の送風手段の羽根体を、この発明の羽根体と交換、あるいは、取り替えることによって、既存の送風手段を空気清浄装置とすることができる。
【００３７】
また、この発明の態様として、前記空気清浄シートを不織布で構成し、該不織布に前記光触媒の粒子を包含させることができる。  
上記構成によれば、不織布の加工容易性から光触媒粒子を容易に包含させることができる。さらに、不織布は吸着性、通風性も良いので空気の清浄能力を損なうこともない。
【００３８】
また、この発明の態様として、前記空気清浄シートを複数枚の不織布を積層して構成し、該不織布の積層間に前記光触媒の粒子を包含させることができる。  
ここで、上記光触媒は、例えば、ルチル型、又はアナターゼ型の二酸化チタン微粉末等で構成することができる。  
上記構成によれば、送風時の風圧に耐え得るに必要な強度を確保することが可能であり、また光触媒の包含加工を施すことが容易である。
【００３９】
また、この発明の態様として、前記空気清浄装置を、紫外線を照射して前記光触媒を励起する紫外線発生手段を備えて構成することができる。  
ここで、上記紫外線発生手段は、例えば、紫外線発生装置、紫外線ランプ、殺菌灯（ブラックライト）等で構成することができる。
【００４０】
上記構成によれば、紫外線発生手段から照射される紫外線により光触媒を励起して、該光触媒に光触媒反応を起こすことができる。  
これにより、紫外線を含む太陽光や蛍光灯の光等が当たらない暗空間であっても、光触媒の光触媒反応を利用して、例えば、脱臭、殺菌、除菌、環境ホルモンなどの有害物質等を確実に除去することができる。
【発明の効果】
【００４１】
この発明によれば、空気清浄シートを、羽根の送風面を覆う正規装着位置に正確に装着することができるとともに、該空気清浄シートの羽根に対する貼り替えが簡易に行える空気清浄装置、及び空気清浄用の羽根体を提供することができる。
【図面の簡単な説明】
【００４２】
【図１】扇風機型を有する実施形態１の空気清浄装置の概略構造を示す側面図。
【図２】実施形態１の前部カバー、及び羽根体を分離した送風部の側面図。
【図３】空気清浄シートを装着した実施形態１の羽根体の構造を示す斜視図。
【図４】空気清浄シートの装着手順を説明する実施形態１の羽根体の正面図。
【図５】空気清浄シートを装着した実施形態１の羽根体の正面図。
【図６】図５に示す実施形態１の羽根体のＡ−Ａ矢視断面図。
【図７】剥離紙を空気清浄シートから剥離する剥離開始状態の斜視図。
【図８】実施形態１の空気清浄装置の制御回路ブロック図。
【図９】ニ酸化チタン微粉末を不織布に付設した実施形態１，２の空気清浄シートの部分拡大断面図。
【図１０】紫外線発生装置を備えた実施形態３の空気清浄装置の概略構造を示す側面図。
【図１１】空気清浄シートの装着手順を説明する実施形態４の羽根体の部分正面図である。
【図１２】天井扇型を有する実施形態５の空気清浄装置の概略構造を示す斜視図。
【発明を実施するための形態】
【００４３】
この発明の一実施形態を以下図面に基づいて詳述する。  
（実施形態１）
図１は扇風機型を有する実施形態１の空気清浄装置１の概略構造を示す側面図、図２は実施形態１の前部カバー５、及び羽根体８を分離した送風部３の側面図である。
【００４４】
実施形態１の空気清浄装置１は、設置場所（例えば、床や地面）に対して垂直に起立した状態に設置される支持台２と、該支持台２の上端に連設した所望する方向に向けて送風する送風部３とで構成している。
【００４５】
支持台２は、側面から見て略円錐筒状に形成した支持部２ａと、該支持部２ａを略上面側中央部に対して垂直に固定した台座部２ｂと、支持部２ａの上端部に対して垂直に挿入され所望する高さに上下調節自在に設けた支柱２ｃと、支柱２ｃの上端部に連設され左右あるいは上下に対して首振り自在に設けた首振り機構２ｄとを備えている（図１、図２参照）。
【００４６】
支柱２ｃの上端部には、上述の首振り機構２ｄを介して、後述する送風部３の駆動部６を固定している。該首振り機構２ｄは、駆動部６に内蔵したモータ６ａの駆動力により左右あるいは上下に首振り動作されるが、手動により所望する方向、角度に回動することもできる。
【００４７】
台座部２ｂの前側上面には、図示しない電源から供給される電力を通電、及び遮断するとともに、首振り機構２ｄを駆動、及び停止するための電源スイッチ２ｅと、送風部３の送風時間、及び清浄時間を設定するためのタイマースイッチ２ｆと、送風部３の送風力（例えば、強・中・弱）、及び空気清浄力を段階的に切り替えるための切替えスイッチ２ｇとを配置している。  
また、台座部２ｂの後部（又は側部）には、電源（例えば、一般家庭用、又は工業用のコンセント）に接続されるプラグ付きの電源コード２ｈを接続している。
【００４８】
送風部３は、金属製の線条体により正面から見て略丸形状で、側面から見て略椀形状に形成した網状の後部カバー４、及び前部カバー５と、上述の首振り機構２ｄを介して、支持台２における支柱２ｃの上端部に連設したモータ内蔵型の駆動部６と、駆動部６の前面側中央部に突出したモータ６ａの回転軸６ｂに螺合されるキャップ７と、回転軸６ｂの突出側軸部に対して交換可能に固定される羽根体８とで構成している。
【００４９】
後部カバー４、及び前部カバー５の対向周縁部には、該カバー４，５を互いに嵌合した状態に係止固定するための止め具４ａを、該カバー４，５の軸中心部を中心として周方向に対して所定間隔を隔てて複数配置している。
【００５０】
送風部３における後部カバー４、及び前部カバー５の下端側対向縁部には、前部カバー５を後部カバー４から分離した際にＯＮ状態からＯＦＦ状態に作動し、そのＯＦＦ操作時の信号を、図８に示す制御装置１５に出力する電源遮断スイッチ１４を設けている。
【００５１】
駆動部６における外壁には、周囲の空気の臭いや汚れ具合、空気中に浮遊する浮遊物の量を検知するとともに、その検知情報を後述する制御装置１５に出力する汚れ検知センサー１３を設けている。  
なお、汚れ検知センサー１３は、例えば、支持台２の支持部２ａや台座部２ｂ、あるいは、送風部３の後部カバー４や前部カバー５に設けてもよい。
【００５２】
上述の後部カバー４、前部カバー５、羽根体８を、駆動部６の前面に取り付ける場合、後部カバー４を駆動部６の前面に固定した後、羽根体８を駆動部６におけるモータ６ａの回転軸６ｂに固定する。
【００５３】
詳述すると、羽根体８の中心部に形成した軸部１０の軸受孔１０ａに、モータ６ａの回転軸６ｂを後方から挿通し、該回転軸６ｂを軸部１０の軸受孔１０ａよりも前方に突出した後、キャップ７を回転軸６ｂの先端部に螺合して、該キャップ７により羽根体８をモータ６ａの回転軸６ｂに対して一体に締付け固定する。  
この後、前部カバー５を、後部カバー４に対して前方から嵌合するとともに、該カバー４，５の対向周縁部を複数の止め具４ａにより係止固定する（図２参照）。
【００５４】
次に、上述の羽根体８の構造、及び空気清浄シート１１を装着する構造について説明する。  
図３は空気清浄シート１１を装着した実施形態１の羽根体８の構造を示す斜視図、図４は空気清浄シート１１の装着手順を説明する実施形態１の羽根体８の正面図、図５は空気清浄シート１１を装着した実施形態１の羽根体８の正面図、図６は図５に示す実施形態１の羽根体８のＡ−Ａ矢視断面図、図７は剥離紙１２を空気清浄シート１１から剥離する剥離開始状態の斜視図である。
【００５５】
羽根体８は、略直径３０ｃｍに形成したプロペラ型ファンで構成され、同一の大きさ、及び形状に形成した５枚の羽根９と、該羽根９を外周面に対して径外方向に向けて突出した軸部１０と、該羽根９の送風面に対して貼り替え可能に装着した空気清浄シート１１とで構成している。
【００５６】
羽根９は、前方に向けて送風される曲面形状、及び傾斜角度に形成され、軸部１０の外周面に対して一体に形成している。該羽根９は、軸部１０の軸中心部を中心として周方向に対して所定間隔を隔てて５枚配置している。軸部１０の軸中心部には、モータ６ａの回転軸６ｂが挿入される丸形の軸受孔１０ａを軸方向に貫通して形成している。
【００５７】
上述のキャップ７に代わる羽根体８の他の固定手段として、例えば、止めネジを、軸部１０の外周面に対して径方向に螺合し、該止めネジの先端を、軸部１０の軸受孔１０ａに挿入した回転軸６ｂに当接して締付け固定してもよい。
【００５８】
羽根９の送風面には、空気清浄シート１１の装着が許容される凹状のシート装着部９ａを形成している（図３、図４、図５、図６参照）。  
シート装着部９ａは、羽根９の送風面を空気清浄シート１１の厚みと略同等となる深さＤに窪ませて形成するとともに、空気清浄シート１１と対応する大きさ、及び形状に形成している（図６のａ部拡大図参照）。
【００５９】
すなわち、空気清浄シート１１を、羽根９のシート装着部９ａに対して嵌め込むように装着することで、空気清浄シート１１を、羽根９の送風面と略面一となる状態に装着することができる。
【００６０】
シート装着部９ａの空気清浄シート１１を装着する被装着面には、空気清浄シート１１を、羽根９のシート装着部９ａを覆う正規装着位置に規制するための丸形の突起９ｂを形成している。  
突起９ｂは、シート装着部９ａに装着した空気清浄シート１１に対して厚み方向に係止される高さを有しており、シート装着部９ａの被装着面に対して所定間隔を隔てて３箇所突出している。
【００６１】
３箇所の突起９ｂのうち２つの突起９ｂは、シート装着部９ａにおける幅広側装着面に対して幅方向に所定間隔を隔てて配置している。１つの突起９ｂは、シート装着部９ａにおける幅狭側装着面の幅方向中央部に配置している。  
具体的に、突起９ｂの高さｈ１は、シート装着部９ａの深さｄと略同一高さに形成しており、該突起９ｂの直径φは５ｍｍに設定している（図３参照）。
【００６２】
シート装着部９ａの周縁部には、空気清浄シート１１を、羽根９のシート装着部９ａを覆う正規装着位置に規制するための壁部９ｃを形成している。  
壁部９ｃは、シート装着部９ａの周縁部に沿って連続して形成するとともに、該シート装着部９ａに装着した空気清浄シート１１の外周縁部が当接される高さｈ２に形成している。
【００６３】
具体的に、壁部９ｃの高さｈ２は、シート装着部９ａの深さｄと略同一高さに形成しており、該壁部９ｃの幅ｗは３ｍｍに設定している。  
ここで、突起９ｂの高さｈ１、壁部９ｃの高さｈ２は、空気清浄シート１１の厚みと略同等、又は同等以上の高さに設定している（図３参照）。
【００６４】
空気清浄シート１１は、光触媒の一例であるアナターゼ型の二酸化チタン微粉末１１Ｔを略均一に包含させ、羽根９の送風面、すなわち、シート装着部９ａの略全体を覆う大きさ、及び形状に形成した合成繊維からなるシート状の不織布である（図９（ａ）参照）。  
図９（ａ）はニ酸化チタン微粉末１１Ｔを不織布に包含させた実施形態１の空気清浄シート１１の部分拡大断面図である。
【００６５】
上記構成によれば、合成繊維からなる不織布の加工容易性から、二酸化チタン微粉末１１Ｔを略均一に包含することができるとともに、不織布の吸着性、通風性を利用することで清浄能力を損なうこともない。
【００６６】
空気清浄シート１１には、シート装着部９ａの突起９ｂが係止される丸形の孔部１１ａを厚み方向に貫通して形成している（図３〜図６参照）。  
孔部１１ａは、シート装着部９ａの突起９ｂと対応して空気清浄シート１１の幅広側装着面、及び幅狭側装着面にそれぞれ配置するとともに、該突起９ｂと対応する間隔を隔てて３箇所配置している。
【００６７】
空気清浄シート１１における前記シート装着部９ａに装着する装着面（裏面側）には、剥離可能な軟粘着剤１１ｂを均一に塗布しており、軟粘着剤１１ｂは、送風時の風圧を受けても空気清浄シート１１が羽根９のシート装着部９ａから剥離することがなく、該空気清浄シート１１を、シート装着部９ａに対して貼着した貼着状態を保持するのに必要な粘着力を有している（図７参照）。
【００６８】
すなわち、軟粘着剤１１ｂの粘着力によって、空気清浄シート１１を、羽根９のシート装着部９ａに対して剥離可能に貼着するので、交換を必要する空気清浄シート１１を貼り替える際、羽根９のシート装着部９ａに貼着跡や粘着剤が残ることを防止できる。
【００６９】
しかも、空気清浄シート１１の装着面と、羽根９におけるシート装着部９ａの被装着面とを互いに貼着するため、空気清浄シート１１を、羽根９のシート装着部９ａに対して貼着した貼着状態を保持するのに必要な貼着面積、及び貼着力を確保することができる。
【００７０】
これにより、空気清浄時において、空気清浄シート１１が羽根９のシート装着部９ａから剥離することをより積極的に防止することができるとともに、軟粘着剤１１ｂの特性により、羽根９のシート装着部９ａに貼着跡や粘着剤を残すことなく、空気清浄シート１１を綺麗に貼り替えることができる。
【００７１】
シート装着部９ａに貼着する前の空気清浄シート１１の装着面（軟粘着剤１１ｂの粘着面）には、剥離加工が施された剥離紙１２を剥離可能に貼着している（図３、図４、図７参照）。  
図７は剥離紙１２を空気清浄シート１１から剥離する剥離開始状態の斜視図である。
【００７２】
剥離紙１２は、空気清浄シート１１の装着面全体（軟粘着剤１１ｂの粘着面全体）を覆う大きさ、及び形状に形成している。  
なお、空気清浄シート１１を、送風時の風圧を受けても剥離しないように貼着することが可能であるならば、軟粘着剤１１ｂを、空気清浄シート１１の装着面に対して部分的に塗布してもよい。
【００７３】
上述の空気清浄シート１１を、羽根体８における５枚の羽根９にそれぞれ装着する場合、剥離紙１２を空気清浄シート１１の装着面（軟粘着剤１１ｂの粘着面）から剥離して、該空気清浄シート１１の装着面に塗布した軟粘着剤１１ｂを露出する（図７参照）。
【００７４】
この後、空気清浄シート１１を、羽根９のシート装着部９ａに対して嵌め込みながら、空気清浄シート１１に塗布した軟粘着剤１１ｂを、羽根９におけるシート装着部９ａの被装着面に押し付ける。  
軟粘着剤１１ｂの粘着力によって、１枚目の空気清浄シート１１を、シート装着部９ａに対して剥離可能に貼着する（図３、図４、図６参照）。
【００７５】
空気清浄シート１１の装着時において、空気清浄シート１１に形成した３箇所の孔部１１ａを、シート装着部９ａに突出した３箇所の突起９ｂにそれぞれ係止し、該空気清浄シート１１の外周縁部を、シート装着部９ａに形成した壁部９ｃの内周縁部に当接して、空気清浄シート１１を、羽根９のシート装着部９ａを覆う正規装着位置に規制する。
【００７６】
これにより、空気清浄シート１１を、羽根９のシート装着部９ａを覆う正規装着位置に対してより正確に装着することができるとともに、該空気清浄シート１１を、羽根９の正規装着位置に装着した状態により確実に保つことができる。
【００７７】
しかも、送風時において、羽根体８の回転時に付与される風圧を、羽根９に装着した空気清浄シート１１にて受けることになるが、上述の孔部１１ａ、及び突起９ｂの係止により、空気清浄シート１１が羽根９の正規装着位置に規制されるため、空気清浄シート１１の装着位置が変位することをより確実に防止できる。
【００７８】
さらに、上述の突起９ｂ、及び孔部１１ａの配置数、配置位置を、羽根体８の中心部に近い幅狭側と、該中心部より遠い幅広側において異ならせているため、空気清浄シート１１を羽根９に装着する際、突起９ｂ、及び孔部１１ａの配置数、配置位置を一致させて互いに係止することにより、空気清浄シート１１を、羽根９と対応する形状に向きを揃えて装着することができる。
【００７９】
さらにまた、空気清浄シート１１を羽根９のシート装着部９ａに装着する際、空気清浄シート１１の孔部１１ａをシート装着部９ａの突起９ｂに係止すると、突起９ｂが孔部１１ａを介して空気清浄シート１１の表面側に露出するため、突起９ｂと孔部１１ａとが互いに係止されたこと、空気清浄シート１１が羽根９の正規装着位置に装着されたことを目視により確認することができる。
【００８０】
上述のように、空気清浄シート１１を羽根９のシート装着部９ａに装着する際、空気清浄シート１１の装着位置にズレが生じることを確実に防止でき、該空気清浄シート１１を、羽根９のシート装着部９ａを覆う正規装着位置に対してより正確に規制、及び装着することができる。  
残り４枚の空気清浄シート１１は、上述と同様にして、羽根体８における残り４枚の羽根９にそれぞれ装着する（図５、図６参照）。
【００８１】
次に、上述した空気清浄装置１の駆動、及び停止を制御する制御装置１５について説明する。  
図８は空気清浄装置１の制御回路ブロック図である。  
上述の制御装置１５は、図示しない電気回路（例えば、変圧器）を介して電源コード２ｈに接続している。
【００８２】
制御装置１５にはＣＰＵ，ＲＯＭ，ＲＡＭが内蔵されており、ＣＰＵは、ＲＯＭ（又はＰＲＯＭ）に格納されたプログラムに沿って、首振り機構２ｄと、電源スイッチ２ｅと、タイマースイッチ２ｆと、切替えスイッチ２ｇと、モータ６ａと、汚れ検知センサー１３と、電源遮断スイッチ１４との駆動、及び停止を制御する。  
ＲＡＭには、汚れ検知センサー１３から出力される検知情報と、判定基準となる基準情報とを記憶している。
【００８３】
送風部３（詳しくは、駆動部６）に設けた汚れ検知センサー１３は、電源スイッチ２ｅをＯＮ操作すると、周囲の空気の臭いや汚れ具合、空気中に浮遊する浮遊物の量を検知し、その検知情報を制御装置１５に出力する。
【００８４】
制御装置１５は、汚れ検知センサー１３から出力される検知情報と、予め記憶された比較情報とを比較、及び演算して、周囲の空気の臭いや汚れ具合が基準値以下であるか、基準値以上であるかを判定する。
【００８５】
もし、空気が汚れていて基準値以下であると判定された場合、駆動部６のモータ６ａを駆動して、羽根体８を所定速度で高速回転させる。一方、空気が綺麗であり基準値以上であると判定された場合、駆動部６のモータ６ａを停止、又は駆動せず、駆動可能な待機状態を維持する。
【００８６】
送風部３における後部カバー４と前部カバー５との対向縁部に設けた電源遮断スイッチ１４は、後部カバー４の内側周縁部に取り付けたスイッチ本体１４ａと、そのスイッチ本体１４ａの操作部１４ｂと対向して前部カバー５の内側周縁部に取り付けた押圧部１４ｃとで構成している。
【００８７】
電源遮断スイッチ１４は、前部カバー５を後部カバー４から分離した際、電源遮断スイッチ１４の操作部１４ｂから押圧部１４ｃが離間し、操作部１４ｂがＯＦＦ位置（突出位置）に復帰することで、そのＯＦＦ操作時の信号を制御装置１５に出力する。  
制御装置１５は、電源遮断スイッチ１４がＯＦＦ操作した際に出力される電気信号に基づいて、モータ６ａ、及び汚れ検知センサー１３に対する通電を遮断する（図２、図８参照）。
【００８８】
前部カバー５を後部カバー４に嵌合した際、電源遮断スイッチ１４の操作部１４ｂが押圧部１４ｃによりＯＮ位置（没入位置）に押し戻され、そのＯＮ操作時の信号を制御装置１５に出力する。制御装置１５は、電源遮断スイッチ１４がＯＮ操作した際に出力される電気信号に基づいて、モータ６ａ、及び汚れ検知センサー１３に対して通電する。
【００８９】
次に、上述した空気清浄装置１により空気を清浄処理する動作を説明する。  
先ず、空気清浄装置１を所望する設置場所に設置して、電源コード２ｈを電源に接続した際、電源遮断スイッチ１４をＯＮ操作して、周囲の空気の臭いや汚れ具合を汚れ検知センサー１３により検知し、その検知情報を制御装置１５に出力する（図１、図８参照）。
【００９０】
制御装置１５は、汚れ検知センサー１３から出力される検知情報と、予め記憶された比較情報とを比較及び演算して、空気の汚れ具合が基準値以下又は基準値以上であるか否かを判定する。
【００９１】
もし、空気中に浮遊する浮遊物の量が多く、その空気の臭いや汚れ具合が基準値以下であると判定された場合、電源から供給される電力を駆動部６に通電して、羽根体８をモータ６ａの駆動力により回転させ、羽根体８の回転により空気を後方から前方に向けて送風するとともに、その送風される多くの空気を、羽根体８における複数の羽根９に装着した空気清浄シート１１に接触させて清浄処理する。
【００９２】
例えば、煙草の煙、カビ菌、雑菌、ホルムアルデヒド等の空気中に浮遊する浮遊物を、羽根９に装着した空気清浄シート１１の二酸化チタン微粉末１１Ｔにより分解、及び除去したり、脱臭、及び消臭等の清浄処理を行い、清浄処理された綺麗な空気を前方、あるいは所望する方向に向けて送風する。これにより、周囲の空気を効率よく清浄処理することができる。
【００９３】
また、スイッチ２ｆ、２ｇを操作して、送風部３を上下、あるいは左右に首振り動作させ、予め設定した送風時間、清浄時間にて、所望する場所、又は範囲に向けて所望量を送風してもよい。
【００９４】
上述の空気清浄シート１１による清浄作用は、空気清浄シート１１に包含した二酸化チタン微粉末１１Ｔに、例えば、太陽光や蛍光灯の光等に含まれる紫外線が照射されることにより光触媒反応が起き、該光触媒反応から得られる強酸化力によって、空気中の臭気成分、カビ菌、雑菌、環境ホルモンなどの有害物質を分解、及び除去することができる。  
しかも、紫外線が照射されているあいだ、光触媒反応が続くので、有害物質を分解、及び除去する効果が継続して得られる。
【００９５】
以上のように、空気中の脱臭、殺菌、除菌、環境ホルモンなどの有害物質の分解、及び除去、あるいは、脱臭、及び消臭等の清浄処理を行うので、機能性に富んだ空気清浄が実現できる。さらには、羽根体８の回転により、流動する多くの空気に対して、上記清浄処理を短時間で効率的におこなうことが可能である。
【００９６】
一方、空気清浄装置１における周囲の空気中に浮遊する浮遊物の量が少なく、空気が綺麗であり汚れ具合が基準値以上であると判定された場合、駆動部６に対する通電を遮断、又は休止させ、送風部３の送風動作、及び清浄処理を停止する。あるいは、モータ６ａを停止、又は駆動せず、駆動可能な待機状態を維持する。
【００９７】
また、空気が基準値以下に汚れた際、汚れ検知センサー１３が出力する検知情報に基づいて、空気の汚れ具合を制御装置１５により判定し、基準値以下であると判定された際、駆動部６のモータ６ａを駆動するので、装置全体の消費電力が少なくて済み、経費を節約することができる。
【００９８】
上述の空気清浄シート１１は、軟粘着剤１１ｂの粘着力によって羽根９のシート装着部９ａに対して剥離可能に貼着しているが、羽根９の送風面に付与される風圧によって、空気清浄シート１１が羽根９のシート装着部９ａに対して押し付けられるため、空気清浄シート１１が羽根９から剥離することを積極的に防止することができる。
【００９９】
しかも、空気清浄シート１１は、軟粘着剤１１ｂにより羽根９のシート装着部９ａに対して剥離可能に貼着しているので、空気清浄シート１１の羽根９に対する貼り替えが簡易に行える。  
すなわち、羽根９のシート装着部９ａに装着した空気清浄シート１１の空気清浄力が低下、あるいは交換時期が到来する等の交換を必要する状況が発生した場合、空気清浄力が低下した空気清浄シート１１を羽根９のシート装着部９ａから剥離し、所定の空気清浄力を有する未使用の空気清浄シート１１に貼り替える。
【０１００】
つまり、交換を必要とする空気清浄シート１１のみを貼り替えるだけで、５枚の羽根９に装着した空気清浄シート１１による空気清浄力が相乗して得られ、空気清浄力を持続するためのコストを低く抑えることができる。
【０１０１】
この結果、軟粘着剤１１ｂの特性により、羽根９におけるシート装着部９ａの装着面に貼着跡や粘着剤を残すことなく、空気清浄シート１１を綺麗に貼り替えることができる。かつ、５枚の羽根９に装着した空気清浄シート１１により、多くの空気を効率よく清浄処理することができる。
【０１０２】
さらに、空気清浄シート１１を羽根９に装着する際、例えば、止めピンや止めねじ等の止め部材を用いることなく、空気清浄シート１１を羽根９のシート装着部９ａに貼着したり、貼り替えたりする作業が容易に行える。
【０１０３】
さらにまた、羽根体８の羽根９に装着した空気清浄シート１１は、１シーズン当たり１枚を目安として使用するので、１シーズンが経過した際、５枚の空気清浄シート１１の全てを、未使用の空気清浄シート１１に貼り替えれば、次期シーズンも空気を清浄する空気清浄効果が継続して得られる。
【０１０４】
なお、使用期間中（１シーズン中）において、汚れによって空気清浄シート１１の空気清浄力が低下しても、空気清浄シート１１を羽根９から剥離し、空気清浄シート１１に付着した汚れを洗浄除去するだけで、空気清浄シート１１の空気清浄力を復活させることができ、また、軟粘着剤１１ｂの粘着力も復活させることが可能であるので、繰り返し使用することができる。
【０１０５】
さらにまた、空気清浄シート１１は、羽根９のシート装着部９ａに対して該羽根９の送風面と略面一となる状態に装着するので、羽根９に装着した空気清浄シート１１によって、送風される気流が乱されることを防止でき、羽根９により送風される空気と、該羽根９に装着した空気清浄シート１１との接触をより多くすることができる。  
これにより、羽根９に装着した空気清浄シート１１との接触により、より多くの空気を効率よく清浄処理することができるとともに、送風時の騒音をより低く抑えることができる。
【０１０６】
また、交換を必要する空気清浄シート１１の枚数が多い場合、交換を必要とする空気清浄シート１１が装着された羽根体８を、所定の空気清浄力を有する未使用の空気清浄シート１１が装着された羽根体８に交換してもよい。
【０１０７】
この場合、空気清浄力が低下した複数枚の空気清浄シート１１を貼り替える作業が一括して行えるので、交換を必要する複数枚の空気清浄シート１１を１枚ずつ貼り替えるような手間、及び作業が省け、貼り替え時の作業性を向上させることができる。
【０１０８】
（実施形態２）
上述のニ酸化チタン微粉末１１Ｔを、複数枚の不織布を積層（実施形態２では３枚）した積層間に包含させた実施形態２の空気清浄シート１１について説明する。  
図９（ｂ）はニ酸化チタン微粉末１１Ｔを不織布の積層間に包含させた実施形態２の空気清浄シート１１の部分拡大断面図である。
【０１０９】
実施形態２の空気清浄シート１１は、シート状に形成した複数枚の不織布を積層して構成するとともに、該不織布の積層間にニ酸化チタン微粉末１１Ｔを包含させて、羽根９のシート装着部９ａを覆う大きさ、及び形状に形成している。  
上記構成によれば、空気清浄シート１１に対する二酸化チタン微粉末１１Ｔの包含加工が容易であるとともに、送風時の風圧に耐え得るに必要な強度を確保することができる。
【０１１０】
（実施形態３）
上述の二酸化チタン微粉末１１Ｔに、紫外線を照射するための紫外線発生装置１６を備えた実施形態３の空気清浄装置１について説明する。  
図１０は紫外線発生装置１６を備えた実施形態３の空気清浄装置１の概略構造を示す側面図である。
【０１１１】
実施形態３の空気清浄装置１は、例えば、紫外線ランプ、殺菌灯（ブラックライト）等の環状に形成した紫外線発生装置１６を、送風部３における後部カバー４の前面に取り付けて、空気清浄シート１１に包含した二酸化チタン微粉末１１Ｔに、紫外線を照射できるようになっている。
【０１１２】
上記構成によれば、紫外線を含む太陽光や蛍光灯の光等の当たらない暗空間であっても、二酸化チタン微粉末１１Ｔの光触媒反応を利用して、例えば、脱臭、殺菌、除菌、環境ホルモンなどの有害物質等を確実に除去することができる。
【０１１３】
さらに、太陽光や蛍光灯などの光と紫外線を発生する紫外線発生装置１６を併用することで、何れか一方を用いるよりも光量（光強度）が増し、光触媒活性を高めることができ、光触媒反応による空気清浄効果がより大幅に向上する。
【０１１４】
この結果、前述の実施形態１，２と略同等、又は同等以上の作用、及び効果を奏することができる。  
なお、上述の紫外線発生装置１６を、駆動部６の外壁に設けてもよく、また、棒状や柱状に形成した紫外線を発生するための装置を設けてもよい。
【０１１５】
（実施形態４）
上述の実施形態１〜３では、空気清浄シート１１を、羽根体８の羽根９に装着する際、空気清浄シート１１の孔部１１ａを、羽根９におけるシート装着部９ａの突起９ｂに係止するシート規制手段について説明したが、ここでは、図１１に示す空気清浄シート１１の外周縁部を、羽根９におけるシート装着部９ａの壁部９ｃに係止するシート規制手段の他の例について説明する。  
図１１は空気清浄シート２１の装着手順を説明する実施形態４の羽根体８の部分正面図である。
【０１１６】
上述の羽根体８は、羽根９におけるシート装着部９ａの壁部９ｃ内縁に、空気清浄シート１１を、該シート装着部９ａを覆う正規装着位置に規制するための凸部９ｄを内側に向けて突出している。凸部９ｄは、シート装着部９ａにおける幅広側の壁部９ｃの対向内縁に２箇所配置し、該シート装着部９ａにおける幅狭側の壁部９ｃの中央内縁に１箇所配置している。
【０１１７】
空気清浄シート１１の外周縁部には、羽根９におけるシート装着部９ａの壁部９ｃに形成した３箇所の凸部９ｄと対応して、該凸部９ｄが係止される凹部１１ｂを３箇所形成している。
【０１１８】
上述の空気清浄シート１１を、羽根体８における羽根９に装着する際、空気清浄シート１１に形成した３箇所の凹部１１ｂを、シート装着部９ａの壁部９ｃに形成した３箇所の凸部９ｄにそれぞれ係止して、空気清浄シート１１を、羽根９のシート装着部９ａを覆う正規装着位置に規制する。  
これにより、空気清浄シート１１を、羽根９の正規装着位置に対してより高い精度で正確に装着することができ、装着精度、及び作業性の向上を図ることができる。
【０１１９】
さらに、上述の実施形態４における羽根９と空気清浄シート１１との装着部分に、実施形態１において説明した突起９ｂ、及び孔部１１ａで構成するシート規制手段を併用すれば、空気清浄シート１１を、羽根９のシート装着部９ａを覆う正規装着位置に対してより正確に装着することができるとともに、位置ズレが生じることをより確実に防止することができる。
【０１２０】
（実施形態５）
上述の実施形態１〜４では、扇風機型を有する空気清浄装置１、及び羽根体８について説明したが、ここでは、図１２に示す天井扇型（シーリングファン型）を有する実施形態５の空気清浄装置１７、及び羽根体２８について説明する。  
図１２は天井扇型を有する実施形態５の空気清浄装置１７の概略構造を示す斜視図である。
【０１２１】
実施形態５の空気清浄装置１７は、天井部に対して垂直に固定される支持部１８と、該支持部１８の下端に連設した下方に向けて送風する送風部１９とで構成している。  
送風部１９は、支持部１８に対して垂直に連結したアーム部２６と、アーム部２６の下端に連結したモータ内蔵型の駆動部２７と、駆動部２７に対して交換可能に固定した４枚の羽根体２８とで構成している。
【０１２２】
羽根体２８は、実施形態１の羽根体２８よりも直径が大きい天井扇用のファンで構成され、同一の大きさ、及び形状に形成した４枚の羽根２９と、該羽根２９を外周面に対して径外方向に向けて突出したリング形状の回転体３０と、該羽根２９の送風面に対して貼り替え可能に装着した空気清浄シート３１とで構成している。  
なお、回転体３０は、上述の駆動部２１に内蔵した図示しないモータの駆動力によって送風方向へ水平回転される。
【０１２３】
羽根２９は、下方に向けて送風される曲面形状、及び傾斜角度に形成され、回転体３０の外周面に対して一体に形成している。該羽根２９は、回転体３０の軸中心部を中心として周方向に対して所定間隔を隔てて４枚配置している。
【０１２４】
羽根２９の送風面には、空気清浄シート３１の装着が許容される凹状のシート装着部２９ａを形成している。シート装着部２９ａは、羽根２９の送風面を空気清浄シート３１の厚みと略同等となる深さに窪ませて形成するとともに、空気清浄シート３１と対応する大きさ、及び形状に形成している。
【０１２５】
シート装着部２９ａの空気清浄シート３１を装着する被装着面には、空気清浄シート３１を、羽根２９のシート装着部２９ａを覆う正規装着位置に規制するための丸形の突起２９ｂを形成している。  
突起２９ｂは、シート装着部２９ａにおける幅広側装着面に対して幅方向に所定間隔を隔てて２箇所配置し、シート装着部２９ａにおける幅狭側装着面の幅方向中央部に１箇所配置している。
【０１２６】
シート装着部２９ａの周縁部には、該シート装着部２９ａに装着した空気清浄シート３１の外周縁部が当接されるとともに、該空気清浄シート３１を、羽根２９のシート装着部２９ａを覆う正規装着位置に規制するための壁部２９ｃを形成している。
【０１２７】
実施形態５において、突起２９ｂの高さ、及び直径と、壁部２９ｃの高さ、及び幅は、実施形態１で説明した数値と略同一に設定している。  
具体的に、空気清浄シート３１の厚みは、２．５ｍｍに設定しているが、羽根体２８の水平回転に何等支障がなければ、空気清浄シート３１の厚みを２．５ｍｍ以上に変更してもよい。
【０１２８】
空気清浄シート３１には、シート装着部２９ａの突起２９ｂと対応して該突起２９ｂが係止される孔部３１ａを３箇所配置している。空気清浄シート３１の装着面（裏面側）には、剥離可能な軟粘着剤３１ｂを均一に塗布している。  
なお、シート装着部２９ａに貼着する前の空気清浄シート３１の装着面（軟粘着剤３１ｂの粘着面）には、剥離紙３２を剥離可能に貼着している。
【０１２９】
上述の空気清浄シート３１を、羽根体２８における４枚の羽根２９に装着する場合、剥離紙３２を空気清浄シート３１の装着面から剥離した後、該空気清浄シート３１の軟粘着剤３１ｂ側を、羽根２９におけるシート装着部２９ａの被装着面に押し付けながら、空気清浄シート３１を、羽根２９のシート装着部２９ａに対して剥離可能にそれぞれ貼着する。
【０１３０】
空気清浄シート３１の装着時において、空気清浄シート３１に形成した３箇所の孔部３１ａを、シート装着部２９ａに突出した３箇所の突起２９ｂにそれぞれ係止し、該空気清浄シート３１の外周縁部を、シート装着部２９ａに形成した壁部２９ｃの内周縁部に当接して、空気清浄シート３１を、羽根２９のシート装着部２９ａを覆う正規装着位置に規制する。
【０１３１】
これにより、空気清浄シート３１を、実施形態１と同様に、羽根２９のシート装着部２９ａを覆う正規装着位置に装着することができるとともに、該空気清浄シート３１を、羽根２９の正規装着位置に装着した状態により確実に保つことができる。この結果、前記実施形態１と略同等の作用、及び効果を奏することができる。
【０１３２】
しかも、実施形態５における天井扇用の羽根２９の方が、実施形態１における扇風機用の羽根９よりも送風面積が大きく、羽根２９に装着する空気清浄シート３１の面積を、羽根９に装着する空気清浄シート１１よりも大きくすることができる。
【０１３３】
これにより、羽根９に装着した空気清浄シート１１に比べて、羽根２９に装着した空気清浄シート３１と接触する空気の接触量をより多くすることができる。  
この結果、実施形態１の扇風機型を有する空気清浄装置１よりも、実施形態５の天井扇型を有する空気清浄装置３１により周囲の空気をより効率よく清浄処理することができ、より高い空気清浄効果が得られる。
【０１３４】
さらに、扇風機用の羽根体８に比べて、天井扇用の羽根体２８の方が、羽根２９をバランス良く取り付けることが可能であるため、天井扇用の空気清浄シート３１の厚みを、扇風機用の空気清浄シート１１よりも厚くしても、羽根体２８を何等支障なく水平回転させることができる。
【０１３５】
これにより、上述の送風面積に加えて、空気清浄シート３１の厚みを、空気清浄シート１１よりも厚くすることができる。  
この結果、空気清浄シート３１と接触する空気の接触量をさらに増加させて、空気清浄効果をより一層高めることができる。
【０１３６】
なお、上述の実施形態５における羽根２９と空気清浄シート３１との装着部分に、実施形態４において説明した凸部９ｄ、及びの凹部１１ｂで構成するシート規制手段を併用すれば、空気清浄シート３１を、羽根２９のシート装着部２９ａを覆う正規装着位置に対してより正確に規制、及び装着することができ、位置ズレが生じることをより確実に防止することができる。
【０１３７】
また、実施形態５の空気清浄装置１７に、実施形態１において説明した紫外線発生装置１６を備えてもよく、空気清浄シート３１に包含した二酸化チタン微粉末１１Ｔの光触媒反応による空気清浄効果がより大幅に向上する。
【０１３８】
この発明の構成と、前記実施形態との対応において、  
この発明の送風手段は、実施形態の駆動部６，２７に対応し、  
以下同様に、  
シート規制手段は、シート装着部９ａ，２９ａの突起９ｂ，２９ｂと、空気清浄シート１１，３１の孔部１１ａ，３１ａ、あるいは、空気清浄シート１１，３１の外周縁部と、シート装着部９ａ，２９ａの壁部９ｃ，２９ｃに対応し、  
シート貼着手段は、空気清浄シート１１，３１に塗布した軟粘着剤１１ｂ，３１ｂに対応し、  
係止部は、突起９ｂ，２９ｂに対応し、  
被係止部は、孔部１１ａ，３１ａに対応し、  
光触媒は、二酸化チタン微粉末１１Ｔに対応し、  
紫外線発生手段は、紫外線発生装置１６や紫外線ランプ、殺菌灯（ブラックライト）等に対応するも、  
この発明は、上述の実施形態の構成のみに限定されるものではなく、請求項に示される技術思想に基づいて応用することができ、多くの実施の形態を得ることができる。
【０１３９】
上述の実施形態で説明した羽根体８，２８の羽根９，２９の枚数を変更してもよく、実施形態の枚数に限定されるものではない。  
また、空気清浄シート１１を、プロペラ型ファンで構成した羽根体８の羽根９に装着した例を説明したが、例えば、円筒型ファン、ドラム型ファン等の羽根に装着してもよい。
【０１４０】
さらに、送風部３，１９の送風力、送風時間、清浄時間、送風部３の首振り機構２ｄの首振り動作を、例えば、無線式（赤外線式）のリモートコントローラーにより設定、及び制御してもよい。
【０１４１】
さらにまた、シート装着部９ａ，２９ａの突起９ｂ，２９ｂ、及び凸部９ｄと、空気清浄シート１１，３１の孔部１１ａ，３１ａ、及び凹部１１ｂの配置数を、例えば、２個、４個、５個等の配置数に変更してもよい。
【０１４２】
さらにまた、空気清浄シート１１，３１を、羽根９，２９のシート装着部９ａ，２９ａを覆う正規装着位置に位置規制することが可能であれば、上述した突起９ｂ，２９ｂの高さを、シート装着部９ａ，２９ａの深さ以下又は以上に変更してもよい。  
また、突起９ｂ，２９ｂの直径を５ｍｍ以下又は以上に変更してもよく、実施形態の高さ、及び直径に限定されるものではない。
【０１４３】
壁部９ｃ，２９ｃの高さを、シート装着部９ａ，２９ａの深さ以下又は以上に変更するか、壁部９ｃ，２９ｃの幅を３ｍｍ以下又は以上に変更してもよく、実施形態の高さ、及び幅に限定されるものではない。
【符号の説明】
【０１４４】
１…空気清浄装置
２…支持台
３…送風部
４…後部カバー
５…前部カバー
６…駆動部
７…キャップ
８…羽根体
９…羽根
９ａ…シート装着部
９ｂ…突起
９ｃ…壁部
１０…軸部
１１…空気清浄シート
１１ａ…孔部
１１ｂ…軟粘着剤
１２…剥離紙
１３…汚れ検知センサー
１６…紫外線発生装置
１７…空気清浄装置
１８…支持部
１９…送風部
２８…羽根体
２９…羽根
２９ａ…シート装着部
２９ｂ…突起
２９ｃ…壁部
３１…空気清浄シート
３１ａ…孔部
３１ｂ…軟粘着剤
３２…剥離紙
【図１】
2015019988.tif 000003
【図２】
2015019988.tif 000004
【図３】
2015019988.tif 000005
【図４】
2015019988.tif 000006
【図５】
2015019988.tif 000007
【図６】
2015019988.tif 000008
【図７】
2015019988.tif 000009
【図８】
2015019988.tif 000010
【図９】
2015019988.tif 000011
【図１０】
2015019988.tif 000012
【図１１】
2015019988.tif 000013
【図１２】
2015019988.tif 000014